(57)【要約】      （修正有）【課題】手元操作によってブラシ回転機構の向きを任意に調整し、車両先端などの大小さまざまな曲面、その他の細部に亘って回転ブラシを確実に接触させ、良好な洗浄効果をあげる洗浄装置を提供する。【解決手段】回動調整装置３が、該第１の歯車室２１の内外に貫通し、内端部に第１の傘歯車３５を有する操作軸３１と、第１の歯車室２１に一端が連結された通水用の連結パイプ２２と、連結パイプ２２の他端に固定されたブラケット２３内に摺動回動可能に支持され、この摺動回動の中心となる垂直軸を持つ第２の歯車室２４と、ブラケット２３を介して第２の歯車室２４内に臨む第３の傘歯車４０と、垂直軸５１に取り付けられて第３の傘歯車４０に噛合する第４の傘歯車６１と、を有し、操作軸３１の外部操作によってブラケット２３に支持された第２の歯車室２４を介して前記ブラシ回転機構２を首振り回動可能にする。【選択図】図３
0003144763.tif 000002
【実用新案登録請求の範囲】
【請求項１】
水道ホースが接続可能な長尺の管状把手と、
管状把手からの給水圧を受けて回転する回転ブラシを備えたブラシ回転機構と、
該ブラシ回転機構と前記管状把手との間に介在されて、該管状把手から前記ブラシ回転機構への給水路を形成するとともに、前記ブラシ回転機構の向きを調整可能にする回動調整装置とを備え、
該回動調整装置が、
前記管状把手に連結ブラケットを介して連結される第１の歯車室と、
該第１の歯車室の内外に貫通し、内端部に第１の傘歯車を有する操作軸と、
前記第１の歯車室にいったんが連結された通水用の連結パイプと、
該連結パイプ内に回動自在に支持され、前記第１の傘歯車に噛合する第２の傘歯車を一端に持つ回転伝達軸と、
前記連結パイプの他端に固定されたブラケットと、
該ブラケット内に摺動回動可能に支持され、この摺動回動の中心となる垂直軸を持つ第２の歯車室と、
前記ブラケットを介して前記第２の歯車室内に臨む前記回転伝達軸の他端に取り付けられた第３の傘歯車と、
前記垂直軸に取り付けられて前記第３の傘歯車に噛合する第４の傘歯車と、
を有し、
前記操作軸の外部操作によって前記ブラケットに支持された第２の歯車室を介して前記ブラシ回転機構を首振り回動可能にしたことを特徴とする回転式洗浄装置。
【考案の詳細な説明】
【技術分野】
【０００１】
本考案は、新幹線の車両や一般旅客車両の先頭車前面、自動車、バスなどの窓ガラス等を洗浄するのに使用する回転式洗浄装置に関する。
【背景技術】
【０００２】
従来から、鉄道車両の側面洗浄は、洗浄ブラシが設けられたトンネル内に車体を通過させることにより行われていた。しかし、先頭車の前面はこの洗浄ブラシでは洗浄が不可能であり、しかも先頭部が曲面に形成されているところから、人力によるブラシ洗浄が行われている（例えば、特許文献１、特許文献２参照）。
【０００３】
ところが、人力による車体洗浄作業は、先頭車の前面形状が湾曲しているだけでなく、洗浄対象面積が広いため、作業者は先端に洗浄ブラシを取り付けた長尺の管状把手を両手で支えて洗浄作業を行っており、この作業に熟練と、大きな労力を必要とする。
【０００４】
また、回転羽根を持つ回転体に洗浄ブラシを設け、洗浄液を回転羽根に当てて洗浄ブラシを自動回転させながら洗浄を行う車体洗浄装置が提案されている。
【特許文献１】実開平５−６７５６６号公報
【特許文献２】特許第３８３７４０８号公報
【考案の開示】
【考案が解決しようとする課題】
【０００５】
しかしながら、かかる従来の車体洗浄装置にあっては、把手の先端部重量が比較的大きいために、大小の曲面や凹部に対し洗浄ブラシを沿わせながら車体を洗浄する作業に多大の労力を要し、作業者の疲労が極めて大きくなっていた。
【０００６】
本考案は、前述のような従来の問題点に着目してなされたものであり、作業者の手元操作によって回転ブラシを有するブラシ回転機構の向きを任意に調整可能とすることによって、車両先端などの大小さまざまな曲面および凹部、その他の細部に亘って回転ブラシを確実に接触させ、所期の良好な洗浄効果をあげることができる回転式洗浄装置を得ることを目的とする。
【課題を解決するための手段】
【０００７】
前記目的達成のために、本考案に係る回転式洗浄装置は、水道ホースが接続可能な長尺の管状把手と、管状把手からの給水圧を受けて回転する回転ブラシを備えたブラシ回転機構と、該ブラシ回転機構と前記管状把手との間に介在されて、該管状把手から前記ブラシ回転機構への給水路を形成するとともに、前記ブラシ回転機構の向きを調整可能にする回動調整装置とを備え、該回動調整装置が、前記管状把手に連結ブラケットを介して連結される第１の歯車室と、該第１の歯車室の内外に貫通し、内端部に第１の傘歯車を有する操作軸と、前記第１の歯車室に一端が連結された通水用の連結パイプと、該連結パイプ内に回動自在に支持され、前記第１の傘歯車に噛合する第２の傘歯車を一端に持つ回転伝達軸と、前記連結パイプの他端に固定されたブラケットと、該ブラケット内に摺動回動可能に支持され、この摺動回動の中心となる垂直軸を持つ第２の歯車室と、前記ブラケットを介して前記第２の歯車室内に臨む前記回転伝達軸の他端に取り付けられた第３の傘歯車と、前記垂直軸に取り付けられて前記第３の傘歯車に噛合する第４の傘歯車と、を有し、前記操作軸の外部操作によって前記ブラケットに支持された第２の歯車室を介して前記ブラシ回転機構を首振り回動可能にしたことを特徴とする。
【０００８】
この構成により、水道ホースから管状把手および回動調整装置を介してブラシ回転機構へ水道水が送られると、ブラシ回転機構では回転ブラシが給水圧を受けて回転する。一方、洗浄対象の形状やサイズに応じて作業者が操作軸を一方または他方へ回動操作することで、この回動操作量および方向に応じた回動量だけ操作軸およびこの操作軸端の第１の傘歯車が回転する。
【０００９】
この第１の傘歯車は、第２の傘歯車、回転伝達軸、第３の傘歯車、第４の傘歯車に回転を伝えて、これらを回転させる。従って、第４の歯車と一体回転する垂直軸および第２の歯車室が回動し、ブラシ回転機構が首振り作動可能になる。
【００１０】
このブラシ回転機構の回動によって前記回転ブラシの向きも変わる。つまり、前記操作軸の回動操作によって、ブラシ回転機構における回転ブラシの向きを変えながら、洗浄対象物における大小の円弧面や凹部などに回転ブラシを当てながら水道水を吐出させて、洗浄を容易かつ効果的に実施することができる。
【考案の効果】
【００１１】
本考案によれば、作業者の手元操作によって回転ブラシを有するブラシ回転機構の向きを任意に調整でき、従って、車両先端などの大小さまざまな曲面および凹部、その他の細部に回転ブラシを確実に接触させることができ、所期の良好な洗浄効果を得ることができる。
【考案を実施するための最良の形態】
【００１２】
以下に、本考案の実施形態を図面を参照しながら詳細に説明する。
本実施形態による回転式洗浄装置は、水道ホースが接続可能な長尺の管状把手と、管状把手からの給水圧を受けて回転する回転ブラシを備えたブラシ回転機構と、該ブラシ回転機構と前記管状把手との間に介在されて、該管状把手から前記ブラシ回転機構への給水路を形成するとともに、前記ブラシ回転機構の向きを調整可能にする回動調整装置とを備えて構成される。そして、該回動調整装置が、前記管状把手に連結ブラケットを介して連結される第１の歯車室と、該第１の歯車室の内外に貫通し、内端部に第１の傘歯車を有する操作軸と、前記第１の歯車室に一端が連結された通水用の連結パイプと、該連結パイプ内に回動自在に支持され、前記第１の傘歯車に噛合する第２の傘歯車を一端に持つ回転伝達軸と、前記連結パイプの他端に固定されたブラケットと、該ブラケット内に摺動回動可能に支持され、この摺動回動の中心となる垂直軸を持つ第２の歯車室と、前記ブラケットを介して前記第２の歯車室内に臨む前記回転伝達軸の他端に取り付けられた第３の傘歯車と、前記垂直軸に取り付けられて前記第３の傘歯車に噛合する第４の傘歯車と、を有し、前記操作軸の外部操作によって前記ブラケットに支持された第２の歯車室を介して前記ブラシ回転機構を首振り回動可能にした構成である。
【００１３】
これによって、作業者による操作ノブによる操作軸の手元操作により、回転ブラシを有するブラシ回転機構の向きを任意に調整可能とすることができ、結果として車両先端などの大小さまざまな曲面および凹部、その他の細部に回転ブラシを確実にかつ速やかに接触させることができるようになり、所期の良好な洗浄効果を得ることができ、作業者の作業負担を軽減することができる。
【００１４】
本実施形態において、図１は、回転式洗浄装置全体の側面図、図２は、回転式洗浄装置における回動調整装置を拡大して示す平面図、図３は、この回動調整装置の拡大断面図である。
本実施形態による回転式洗浄装置は、長尺の管状把手１と、ブラシ回転機構２と、管状把手１とブラシ回転機構２との間に介在された回動調整装置３とを備えている。
【００１５】
これらのうち、長尺の管状把手１は、アルミ管やプラスチック管などの軽量材からなり、先端部には回動調整装置３を介してブラシ回転機構２が取り付けられている。この回転調整装置３は、ブラシ回転機構２の向きを例えば矢印Ｐ方向に調節可能にし、さらにその調節後の向きを保持可能にしている。
【００１６】
長尺の管状把手１の基部（管状把手部）には、水道ホース４が接続部５において接続され、水道水が前記ブラシ回転機構２へ供給可能になっている。また、管状把手１の途中には分岐管６が接続され、この分岐管６には洗浄液（薬液）タンク７が連結されている。分岐管６の途中には、洗浄液の供給および供給停止を操作するためのストップバルブ（開閉栓）８が取り付けられている。なお、洗浄液タンク７は、図示のように洗浄液ホース９を介して分岐管６に接続してもよい。
【００１７】
また、分岐管６の分岐部には切換え機構１０が設けられ、これによって水道水および洗浄液のいずれかまたは両方を選択的にブラシ回転機構２へ供給可能にしている。従って、この切換え機構１０は水道水に対する洗浄液の混入割合を調整する機能を合わせ持つ。
【００１８】
一方、ブラシ回転機構２は、容器内に回転ブラシや固定ブラシ等を設けたものからなる。回転ブラシや固定ブラシは、例えば合成樹脂製のスポンジや刷毛などからなり、回転ブラシは回転調整装置３および管状把手１を介して送出される水圧を受けて回転する回転羽根の動力を受けて回転する。この回転ブラシの水圧による回転機構として、周知のあらゆる構成のものを採用することができ、本実施の形態では特に限定されない。例えば、本出願人の登録実用新案題3139690号の回転機構を用いることができる。
【００１９】
図２および図３は回動調整装置３の詳細を示す平面図および縦断面図である。この回動調整装置３は、管状把手１の先端に連結される第１の歯車室２１と、第１の歯車室２１一端が連結された連結パイプ２２と、この連結パイプ２２の他端に連結された箱型のブラケット２３と、このブラケット２３内に摺接状態にて回動可能な第２の歯車室２４とを備えている。
【００２０】
第１の歯車室２１は全体として直方形を成し、一側（図では、右端）の開放端に、管状把手１の一端を接続するための接続ブラケット２５がボルト２６により取り付けられている。第１の歯車室２１の上側（図では、上端）にはこの第１の歯車室２１の内外に貫通する軸通し孔２７が設けられている。この軸通し孔２７の周辺には軸筒２８の取り付け座２８ａがボルト２９により取り付けられている。
【００２１】
この軸筒２８内の中心部には、オイルレスブッシュ３０を介して操作軸３１が回動自在に支持されている。この操作軸３１は、一端が第１の歯車室２１内に臨み、他端は軸筒２８の上端開口部付近に臨んでいる。また、操作軸３１の中央部には、フランジ３１ａが設けられ、これが第１の歯車室２１方向への操作軸３１の移動をオイルレスブッシュ３０によって規制可能にしている。
【００２２】
操作軸３１の他端（上端）には、指先で回動操作できる調整ノブ３２がボルト３３により固定されている。また、軸筒２８の先端部外周には、外周面に粗めのローレットを施した握りリング３４が嵌め込まれている。さらに、第１の歯車室２１に臨む操作軸３１端には、第１の傘歯車３５が螺子３６により固定されている。
【００２３】
次に、前記連結パイプ２２の中心部には、回転伝達軸３７が挿通されている。この回転伝達軸３７は、連結パイプ２２の両端部内周に設けられた一対のオイルレスブッシュ３８に回転自在に水平支持されている。また、回転伝達軸３７の一端は第１の歯車室２１内に臨み、その一端部には傘歯車３５に噛合する第２の傘歯車３９が螺子３９ａによって取り付けられている。
【００２４】
回転伝達軸３７外周の他端部付近には、オイルブッシュ３８によってブラケット２３方向への移動を規制するためのフランジ３７ａが一体に設けられている。なお、オイルレスブッシュ３８には、連結パイプ２２内に水道水を大きな抵抗なく流通させるための通水孔３８ａが設けられている。
【００２５】
さらに、回転伝達軸３７の他端はブラケット２３内に臨んで第３の傘歯車４０がねじ４１により固定されている。このブラケット２３は略矩形筒状をなし、この矩形筒状部内に第２の歯車室２４が収納されている。ブラケット２３は、上板２３ａ、下板２３ｂ、およびこれらの上板２３ａおよび下板２３ｂを繋ぐ縦板２３ｃとからなる。
【００２６】
上板２３ａおよび下板２３ｂには、図２に示す中心点Ｏを中心とする半円状切欠４２、４３と、これらの半円状切欠４２、４３のさらに外径側に所定幅の円弧状切溝４４、４５が形成されている。なお、半円上切欠４２、４３にはこれらに続く所定長の平行切欠部４６、４７を介して左端部に開放されている。
【００２７】
第２の歯車室２４は、有底円筒体４８とこの有底円筒体４８の上端開口部を塞ぐ蓋体４９とからなる第２の歯車室２４が収納されている。蓋体４９は有底円筒体４８の開口縁面にボルト５０によって固定されている。
【００２８】
また、有底円筒体４８底部の中心部および蓋体４９の中心部に垂直軸５１の両端がピン５２により固定されている。このピン５２によって垂直軸５１が固定される部位では、前記各中心部がそれぞれ上方および下方に突出する、円滑な外周面を持つボス部５３、５４となっている。このためボス部５３、５４はブラケット２３の半円状切欠４２、４３内で水平回動可能となっている。
【００２９】
また、有底円筒体４８の底部および蓋体４９にはそれぞれガイドピン５５、５６が植設されており、これらのガイドピン５５、５６はブラケット２３の上板２３ａおよび下板２３ｂに設けられた前記円弧状切欠４４、４５のそれぞれに挿入されている。従って、ブラケット２３内で第２の歯車室２４が水平回動可能になっており、この回動の際には、その回動軌跡と回動量がガイドピン５５、５６と円弧状切欠４５、４６とによって規制されることとなる。
【００３０】
有底円筒体４８の周壁の一部には、内外に貫通する通水路５７を持った通水口部５８が一体に突設されており、この通水口部５８に、前述の回転ブラシ等を備えたブラシ回転機構２の容器５９部分がボルト６０によって取り付けられている。
【００３１】
次に、かかる構成の回転式洗浄装置を用いて先頭車等を洗浄する場合を例として、動作を説明する。まず、長尺の管状把手１の基部に水道ホース４を接続して、水道管の元栓を開放する。これにより、１．４〜２．０ＭＰａの水圧を持つ水道水が切換え機構１０および回動調整装置３を通じて、ブラシ回転機構の２の容器部分５９内に吐出される。
【００３２】
この場合において、切換え機構１０および管状把手１を通じて吐出される水道水は、管状把手１の上端に接続ブラケット２５を介して連結された第１の歯車室２１内から、連結パイプ２２内およびオイルレスブッシュ３８に形成された通水孔３８ａ、ブラケット２３の通水孔２３ａおよび有底円筒体４８の通水孔４８ａを介して有底円筒体４８内に吐出される。さらに、この吐出された水道水は通水口部５８の通水炉５７を経てブラシ回転機構２の容器５９内に送られ、図示しない羽根車が高速で回転付勢される。この羽根車の回転は変速ギヤを介して回転ブラシに伝えられ、この回転ブラシが回転する。
【００３３】
そこで、作業者は長尺の管状把手１を把持し、ブラシ回転機構２部分を先頭車両の前面の所定部位に接触および加圧して、徐々に接触部位をずらせていく。これにより、先頭車両の洗浄が開始される。この洗浄作業中においては、ブラシ回転機構２を先頭車前面の湾曲部や凹凸部などに接触させて洗浄する必要がある。この場合には、そのブラシ回転機構２をその洗浄しようとする部位の形状に合わせて、向きを変える。
【００３４】
ブラシ回転機構２の向きの変更は、図２および図３に示す調整ノブ３２を回動操作することによって行える。作業者は、前記の洗浄作業中に調整ノブ３２を指先で摘み、正方向または逆方向に回動操作する。この回動操作力は操作軸３１に伝えられ、この操作軸３１の回動が第１の傘歯車３５および第２の傘歯車３９、回転伝達軸３７、第３の傘歯車４０および第４の傘歯車６１を順次介して垂直軸５１に伝えられる。
【００３５】
このため第４の傘歯車６１の回転によって垂直軸５１が回転し、第２の歯車室２４を構成している有底円筒体４８がブラケット２３内で垂直軸５１を中心に、図２に示す矢印Ｈ方向に水平回動する。この回動方向Ｈおよび回動量は、前記調整ノブ３２の回動操作方向および回動操作量に対応する。
【００３６】
また、第２の歯車質２４の回動は、ガイドピン５５、５６がブラケット２３の円弧状切欠４４、４５にガイドされながら滑らかに行われ、従ってブラケット２３内で有底円筒体４８はガタツキなく滑らかに摺動する。そして、このような有底円筒体４８の回動は、そのままブラシ回転機構２の容器５８に伝えられ、この容器５８内に取り付けられた回転ブラシによる、例えば先頭車両前面の曲面や凹部等の洗浄を効率的に実施することができる。
【００３７】
このように、本実施の形態による回転式洗浄装置は、回動調整装置３を備え、この回動調整装置３が、管状把手１に連結される第１の歯車室２１と、第１の歯車室２１の内外に貫通し、内端部に第１の傘歯車３５を有する操作軸３１と、第１の歯車室２１に一端が連結された通水用の連結パイプ２２と、連結パイプ２２内に回動自在に支持され、第１の傘歯車２１に噛合する第２の傘歯車３９を一端に持つ回転伝達軸３７と、連結パイプ３７の他端に固定されたブラケット２３と、ブラケット２３内に摺動回動可能に支持され、この摺動回動の中心となる垂直軸５１を持つ第２の歯車室２４と、ブラケット２３を介して第２の歯車室２４内に臨む回転伝達軸３７の他端に取り付けられた第３の傘歯車４０と、垂直軸５１に取り付けられて第３の傘歯車４０に噛合する第４の傘歯車６１と、を有し、操作軸３１の外部操作によって前記ブラケット２３に支持された第２の歯車室２４を介して前記ブラシ回転機構２を首振り回動可能にしている。
【００３８】
これにより、作業者の手元操作によって回転ブラシを有するブラシ回転機構２の向きを任意に調整でき、従って、車両先端などの大小さまざまな曲面および凹部、その他の細部に回転ブラシを確実に接触させることができ、所期の良好な洗浄効果を得ることができるものである。
【産業上の利用可能性】
【００３９】
本考案は、車両先端などの大小さまざまな曲面および凹部、その他の細部に亘って回転ブラシを確実に接触させ、所期の良好な洗浄効果をあげることができるという効果を有し、新幹線の車両や一般旅客車両の先頭車前面、自動車、バスなどの窓ガラス等を洗浄する回転式洗浄装置等に有用である。
【図面の簡単な説明】
【００４０】
【図１】本考案の実施の形態による回転式洗浄装置の全体を示す正面図である。
【図２】図１に示す回転式洗浄装置における回動調整装置を拡大して示す平面図である。
【図３】図１に示す回転式洗浄装置における回動調整装置を拡大して示す断面図である。
【符号の説明】
【００４１】
１…管状把手、２…ブラシ回転機構、３…回動調整装置、４…水道ホース、５…接続部、６…分岐管、７…洗浄液タンク、８…ストップバルブ、９…ホース、１０…切換え機構、２１…第１の歯車室、２２…連結パイプ、２３…ブラケット、２４…第２の歯車室、２５…接続ブラケット、２７…軸通し孔、２８…軸筒、３０…オイルブッシュ、３１…操作軸、３２…調整ノブ、３５…第１の傘歯車、３７…回転伝達軸、３８…オイルレスブッシュ、３９…第２の傘歯車、３９…第３の傘歯車、４０…第３の傘歯車、４２，４３…半円状切欠、４４，４５…円弧状切溝、４８…有底円筒体、４９…蓋体、５１…垂直軸、５３，５４…ボス部、５５，５６…ガイドピン、５７…通水路、６１…第４の傘歯車
【図１】
0003144763.tif 000003
【図２】
0003144763.tif 000004
【図３】
0003144763.tif 000005